(57)【要約】【課題】止水操作後のオーバーシュートを抑制し、さらに色彩可変表示ユニットの色が変わる可変樹脂部品を目視で湯温が判り、シャワー使用時の安全性と使い勝手の向上を図ることを目的としたものである。【解決手段】熱源２８と、この熱源２８より供給されるお湯の流量を検出する流量検出器３０と、お湯の供給及び停止を操作する止水栓２９と、前記熱源２８より供給されるお湯をシャワーホース２５を介して吐出するシャワーヘッド２６を備え、前記シャワーヘッド２６には所定流量を流した状態で一定の湯温に達すると色が変わる可変樹脂部品を有した色彩可変表示ユニット４６を設けた構成としている。【選択図】図１
2008180454.tif 000002
【特許請求の範囲】
【請求項１】
熱源と、この熱源より供給されるお湯の流量を検出する流量検出器と、お湯の供給及び停止を操作する止水栓と、前記熱源より供給されるお湯をシャワーホースを介して吐出するシャワーヘッドを備え、前記シャワーヘッドには所定流量を流した状態で一定の湯温に達すると色が変わる可変樹脂部品を有した色彩可変表示ユニットを設けたことを特徴とする湯沸器。
【請求項２】
色彩可変表示ユニットは、湯温がシャワーの適温に達したことが判る構成にした請求項１記載の湯沸器。
【請求項３】
色彩可変表示ユニットは、湯温がシャワーの適温以上の高温に達したことが判る構成にした請求項１記載の湯沸器。
【請求項４】
色彩可変表示ユニットは、シャワーヘッドの内通路適所に設け、下流側内通路に連通する位置に色が変わる可変樹脂部品を有するとともに、前記可変樹脂部品をボール状、又は、羽根車状に形成し、前記内通路を覆う透明カバーを設け、可変樹脂部品の状況が判る構成にした請求項１記載の湯沸器。
【請求項５】
色彩可変表示ユニットは、熱源内の通路適所に設け、タンク下流側内通路に連通する位置に色が変わる可変樹脂部品を有するとともに、前記可変樹脂部品をボール状、又は、羽根車状に形成し、前記内通路を覆う透明カバーを設け、可変樹脂部品の状況が判る構成にした請求項１記載の湯沸器。
【請求項６】
色彩可変表示ユニットには、適温表示の可変樹脂部品と高温表示の可変樹脂部品の複数個からなる構成にした請求項１記載の湯沸器。
【請求項７】
熱源に加熱ヒータを用い電気瞬間湯沸器とした請求項１から６のいずれか１項記載の湯沸器。
【発明の詳細な説明】
【技術分野】
【０００１】
本発明は、シャワー装置などに使用される湯沸器に関するものである。
【背景技術】
【０００２】
従来のこの種の湯沸器は図４、図５に示すように、入水管１から流入した水は、止水栓２、流量調節弁３を経て水圧検出器４を作動させ、この信号で制御器１３を介して加熱ヒータ５の加熱動作を開始させタンク６内で加熱され、出湯管７に接続されたシャワーホース８を介してシャワーヘッド９より吐出されるようになっている。使用時は、まず加熱ヒータ５の容量調節つまみ１０で好みの湯温に調節し、次に、止水栓つまみ１１を操作することで、容量調節ボリューム１４と温度検出器１５の信号に基づき制御器１３が加熱ヒータ５を制御し、シャワーヘッド９より所望する温度のお湯を吐出させ、手にシャワーを掛けながら、使用形態に応じて流量調節弁つまみ１２で好みの流量に調節する。そして、停止時は、止水栓つまみ１１を閉側に操作することで、止水栓２が閉弁状態となり入水管１からの水の供給が停止され、シャワーヘッド９からのお湯の吐出は停止するようになっている（例えば、特許文献１参照）。
【特許文献１】特開２００６−１４１８５２号公報
【発明の開示】
【発明が解決しようとする課題】
【０００３】
しかしながら、従来の構成においては、シャワー使用時にその使用実態に即して都度、シャワーヘッドよりお湯を吐出させ、手にシャワーを掛けながら、本体側の容量調節ボリュームを操作する必要があり、手間がかかるという不便さを強いられるものであった。また、シャワーヘッドから高温のお湯が吐出している確認ができず、シャワーで火傷をする恐れもあるなどの課題があった。
【０００４】
本発明は、前記従来の課題を解決するもので、シャワーヘッドに色彩可変表示ユニットを設け、シャワーヘッドからのお湯の吐出温度見極める色が変わる可変樹脂部品を設けるというもので、適温調整も簡単で、熱いお湯が吐出していても火傷の恐れもなく、使い勝手のよい湯沸器を提供することを目的としたものである。
【課題を解決するための手段】
【０００５】
前記従来の課題を解決するために、本発明の湯沸器は、熱源と、この熱源より供給されるお湯の流量を検出する流量検出器と、お湯の供給及び停止を操作する止水栓と、前記熱源より供給されるお湯をシャワーホースを介して吐出するシャワーヘッドを備え、前記シャワーヘッドには所定流量を流した状態で一定の湯温に達すると色が変わる可変樹脂部品を有した色彩可変表示ユニットを設けた構成としてある。
【０００６】
これによって、シャワー使用開始時、シャワーヘッドからのお湯を手に掛けることなくシャワーヘッドの色彩可変表示ユニットの色が変わる可変樹脂部品で湯温が判り、安全性の高い、使い勝手のよい湯沸器が提供できる。
【発明の効果】
【０００７】
本発明は、使い勝手のよい湯沸器を提供することができる。
【発明を実施するための最良の形態】
【０００８】
請求項１に記載の発明は、熱源と、この熱源より供給されるお湯の流量を検出する流量検出器と、お湯の供給及び停止を操作する止水栓と、前記熱源より供給されるお湯をシャ
ワーホースを介して吐出するシャワーヘッドを備え、前記シャワーヘッドには所定流量を流した状態で一定の湯温に達すると色が変わる可変樹脂部品を有した色彩可変表示ユニットを設けた構成としてある。
【０００９】
そして、シャワー使用開始時、シャワーヘッドからのお湯を手に掛けることなくシャワーヘッドの色彩可変表示ユニットの色が変わる可変樹脂部品で湯温が判り、安全性の高い、使い勝手のよい湯沸器が提供できる。
【００１０】
また、シャワー使用時に洗髪等で、一次シャワーを停止すると、加熱ヒータのオーバーシュートによりタンク内が昇温されて、次のシャワー使用時に熱湯が吐出する恐れもあったが、色彩可変表示ユニットの色が変わる可変樹脂部品で湯温が判り、不具合も解消されるものである。
【００１１】
また、請求項２に記載の発明は、特に請求項１に記載の色彩可変表示ユニットで、湯温がシャワーの適温に達したことが判る構成にしたものである。
【００１２】
そして、シャワー使用開始時、シャワーヘッドからのお湯を手に掛けることなくシャワーヘッドの色彩可変表示ユニットの色が変わる可変樹脂部品で湯温が判り、安全性の高い、使い勝手のよく、熱いお湯が吐出するという不具合を解消することができる。
【００１３】
また、請求項３に記載した発明は、色彩可変表示ユニットは、湯温がシャワーの適温以上の高温に達したことが判る構成にしたものである。
【００１４】
そして、シャワー使用開始時、シャワーヘッドからのお湯を手に掛けることなくシャワーヘッドの色彩可変表示ユニットの色が変わる可変樹脂部品で湯温が判り、高温の場合は、可変樹脂部品の色を確認しながら、本体側の容量調節つまみで適温に調整することができ、安全性の高い、使い勝手がよく、熱いお湯が吐出するという不具合を解消することができる。
【００１５】
また、請求項４に記載の発明は、特に請求項１の色彩可変表示ユニットで、シャワーヘッドの内通路適所に設け、下流側内通路に連通する位置に色が変わる可変樹脂部品を有するとともに、前記可変樹脂部品をボール状、又は、羽根車状に形成し、前記内通路を覆う透明カバーを設け、可変樹脂部品の状況が判る構成にしたものである。
【００１６】
そして、シャワーヘッドの内通路に設けた色彩可変表示ユニットは、下流側内通路に連通する位置で、色が変わる可変樹脂部品を有するとともに、前記可変樹脂部品をボール状、又は、羽根車状に形成し、前記内通路を覆う透明カバーを設け、可変樹脂部品の状況が判る構成にし、シャワーヘッドからのお湯を手に掛けることなくシャワーヘッドの色彩可変表示ユニットの色が変わる可変樹脂部品で湯温が判り、安全性の高い、使い勝手のよい湯沸器が提供できる。
【００１７】
また、請求項５に記載の発明は、特に請求項１の色彩可変表示ユニットで、熱源内の通路適所に設け、タンク下流側内通路に連通する位置に色が変わる可変樹脂部品を有するとともに、前記可変樹脂部品をボール状、羽根車状に形成し、前記内通路を覆う透明カバーを設け、可変樹脂部品の状況が判る構成にしたものである。
【００１８】
そして、熱源内の通路に設けた色彩可変表示ユニットは、タンク下流側内通路に連通する位置で、色が変わる可変樹脂部品を有するとともに、前記可変樹脂部品をボール状、又は、羽根車状に形成し、前記内通路を覆う透明カバーを設け、可変樹脂部品の状況が判る構成にし、シャワーヘッドからのお湯を手に掛けることなく熱源内の色彩可変表示ユニッ
トの色が変わる可変樹脂部品で湯温が判り、安全性の高い、使い勝手のよい湯沸器が提供できる。
【００１９】
また、請求項６に記載の発明は、色彩可変表示ユニットには、適温表示の可変樹脂部品と高温表示の可変樹脂部品の複数個からなる構成にしたものである。
【００２０】
そして、シャワーヘッドで可変樹脂部品の状況が判る構成にしているため、シャワーヘッドからのお湯を手に掛けることなくシャワーヘッドの色彩可変表示ユニットの色が変わる可変樹脂部品で湯温が判り、安全性の高い、使い勝手のよい湯沸器が提供できる。
【００２１】
また、請求項７に記載の発明は、熱源に加熱ヒータを用い電気瞬間湯沸器としたものである。
【００２２】
以下、本発明の実施の形態について、図面を参照しながら説明する。なお、この実施の形態によって本発明が限定されるものではない。
【００２３】
（実施の形態１）
図１は電気瞬間湯沸器の外観を示し、２０は入水管、２１は流量調節弁、２２は止水栓つまみ、２３は容量調節つまみ、２４は出湯管、２５はシャワーホース、２６はシャワーヘッド、２７は内部に圧力逃がし弁機構を内蔵した一時止水操作ユニット、４６は色彩可変表示ユニット、２８は熱源である。
【００２４】
図２は同湯沸器の内部構造を示すブロック図で、２９は止水栓、３０は流量検出器、３１はタンク、３２は加熱ヒータ、３３は制御器、３４は温度検出器である。
【００２５】
上記構成において、その動作を簡単に説明すると、まず止水栓つまみ２２を開操作し、シャワーヘッド２６の一時止水操作ユニット２７を開位置に操作すると、入水管２０から所定の給水圧で流入された水は、流量調節弁２１、止水栓２９を経てタンク３１に供給される。このとき流量検出器３０は所定の流量を検出し制御器３３に信号を送る。そしてタンク３１に供給された水は、前記流量検出器３０が所定の流量を検出しているためタンク３１に内蔵された加熱ヒータ３２により加熱され、加熱された水は出湯管２４に接続されたシャワーホース２５を通ってシャワーヘッド２６より吐出される。また、このときの湯温調節は、容量調節つまみ２３を好みの温度に設定することで、容量調節ボリューム（図示せず）、温度検出器３４、制御器３３によって加熱ヒータ３２を制御し、所望する温度に調節することができ、さらに流量調節弁２１を調節することで好みの流量に調節することができ、さらに色彩可変表示ユニット４６の色が変わる可変樹脂部品を目視で湯温が判る。
【００２６】
このように、容量調節つまみ２３及び流量調節弁２１を予め設定しておけば、熱源２８の止水栓つまみ２２を開操作することで所望する温度のお湯をシャワーヘッド２６から吐出することができ、さらに色彩可変表示ユニット４６の色が変わる可変樹脂部品を目視で湯温が判る。
【００２７】
図３は一次止水操作ユニット２７を備えたシャワーヘッド２６で通常シャワー位置２６ｂと止水位置４３ｂで、シャワー使用中に洗髪等で一時的にシャワーヘッド２６からの吐出を停止させたい場合は、シャワーヘッド２６に設けた一時止水操作ユニット２７を止水位置４３ｂに操作すれば、手元で容易に止水することができるが、加熱ヒータのオーバーシュートによりタンク内が昇温されて、次のシャワー使用時に熱湯が吐出する恐れもあったが、色彩可変表示ユニットの色が変わる可変樹脂部品で湯温が目視で判り、火傷を起こす不具合も解消される。
【００２８】
また、一時止水操作ユニット２７による止水操作時は、完全に止水せず、流量検出器３０の設定流量以下の流量、つまり加熱ヒータ３２が加熱動作を開始する流量以下の流量をシャワーヘッド２６から流すようにしているため、給湯経路内は僅かながら流水状態が確保されており、止水操作時に起こりやすいタンク３１内のオーバーシュートによる昇温効果を抑制することができ、次の吐出時に熱湯が吐出するという不具合を解消することができるとともに色彩可変表示ユニット４６の色が変わる可変樹脂部品を目視で湯温が判り、火傷を起こす不具合も解消される。
【００２９】
以上のように本発明によれば、本体側の止水栓とシャワーヘッド側の圧力逃がし弁機構を有した一時止水操作ユニットと色彩可変表示ユニットの構成としているため、シャワー使用の途中で一時的に止水操作をしてもオーバーシュートによる昇温効果を抑制することができ、次の吐出時に熱湯が吐出するという不具合を解消することができるとともに色彩可変表示ユニットの色が変わる可変樹脂部品を目視で湯温が判り、お湯の温度を手で確認する必要もなく、火傷の恐れもなく使い勝手が向上するとともに、シャワー使用をしていないときに多量のお湯を無駄に出しっぱなしにしておくという状態を回避することができ、節水、省電力等、省エネ効果も大いに期待できる。
【００３０】
また、シャワーヘッドの一時止水操作ユニットで止水操作をした場合は、シャワーヘッドより加熱ヒータが加熱動作を開始しない程度の僅かなお湯を流し給水圧を逃がす構造としているため、お湯の供給経路内を高度な耐圧構造とする必要がなく、熱源構成の簡素化が図れる。
【００３１】
さらに、次のシャワー使用時に給水圧の影響でいきなり熱いお湯が吐出されるという不具合がなくなり、かつ止水操作後も僅かながらお湯の供給経路内に流水があるため、加熱ヒータのオーバーシュートによるタンク内の昇温が抑制されて、次のシャワー使用時に熱湯が吐出されるという不具合も解消されるとともに色彩可変表示ユニットの色が変わる可変樹脂部品を目視で湯温が判る、快適なシャワー使用を提供できる。
【産業上の利用可能性】
【００３２】
本発明は、シャワー装置などの湯沸器として最適である。
【図面の簡単な説明】
【００３３】
【図１】本発明の第１の実施の形態における湯沸器の外観図
【図２】同湯沸器の内部構造を示すブロック図
【図３】同湯沸器のシャワーヘッドの外観図
【図４】従来の電気瞬間湯沸器の外観図
【図５】従来の電気瞬間湯沸器の構造図
【符号の説明】
【００３４】
２５  シャワーホース
２６  シャワーヘッド
２７  一時止水操作ユニット
２８  熱源
２９  止水栓
３０  流量検出器
４６  色彩可変表示ユニット
【図１】
2008180454.tif 000003
【図２】
2008180454.tif 000004
【図３】
2008180454.tif 000005
【図４】
2008180454.tif 000006
【図５】
2008180454.tif 000007